(57)【要約】【課題】カバー部材の隆起部を握り易い形状に変更することができるカメラを提供する。【解決手段】光軸（Ｌ）を有する鏡筒部（３０）を備えたカメラ本体（１０）と、カメラ本体（１０）に光軸（Ｌ）に交差する方向に摺動可能に設けられ、非使用時鏡筒部（３０）を覆うことができるとともに、使用時カメラ本体（１０）の前面に隆起部（２５）を形成することができるカバー部材（２０）と、カバー部材（２０）の光軸（Ｌ）に交差する方向の摺動に応じて光軸（Ｌ）方向の位置が変化する隆起部（２５）を変化させる形状変化手段とを備えた。【選択図】図１
2009151156.tif 000002
【特許請求の範囲】
【請求項１】
光軸を有する鏡筒部を備えたカメラ本体と、
前記カメラ本体に前記光軸に交差する方向に摺動可能に設けられ、非使用時前記鏡筒部を覆うことができるとともに、使用時前記カメラ本体の前面又は側面に隆起部を形成することができるカバー部材と、
前記カバー部材の前記光軸に交差する方向の摺動に応じて光軸方向の位置が変化する前記隆起部を変化させる形状変化手段と
を備えていることを特徴とするカメラ。
【請求項２】
前記隆起部に前記カメラの操作部材が設けられていることを特徴とする請求項１記載のカメラ。
【請求項３】
前記カバー部材の摺動に応じて前記カメラ本体の電源をオン・オフさせることを特徴とする請求項１又は２記載のカメラ。
【発明の詳細な説明】
【技術分野】
【０００１】
この発明はカメラに関する。
【背景技術】
【０００２】
従来、非使用時鏡筒部を覆うことができるとともに、使用時カメラ本体の前面にグリップを形成できるレンズカバーを備えたカメラが知られている（下記公報参照）。
【０００３】
このカメラのレンズカバーは、剛性のスライド部材と可撓性の帯板とで構成されている。撮影時にスライド部材をスライドさせると、帯板の一部が蛇腹状に折り畳まれてカメラ本体の前方へ膨出し、グリップ部が形成される。また、非撮影時に帯板を伸張させると、撮影レンズが帯板で覆われる。
【特許文献１】特開２００４−３３４２３６号公報
【発明の開示】
【発明が解決しようとする課題】
【０００４】
しかし、撮影者の手の大きさ、指の長さには個人差があり、握り易いグリップ部の形状（高さや幅等）は撮影者によって異なるにもかかわらず、上述のグリップ部の形状は一定であるため、撮影者によってはグリップ部を握り難いという問題があった。
【０００５】
この発明はこのような事情に鑑みてなされたもので、その課題は撮影者がカバー部材の隆起部を握り易い形状に変更することができるカメラを提供することである。
【課題を解決するための手段】
【０００６】
上記課題を解決するため請求項１記載の発明は、光軸を有する鏡筒部を備えたカメラ本体と、前記カメラ本体に前記光軸に交差する方向に摺動可能に設けられ、非使用時前記鏡筒部を覆うことができるとともに、使用時前記カメラ本体の前面又は側面に隆起部を形成することができるカバー部材と、前記カバー部材の前記光軸に交差する方向の摺動に応じて光軸方向の位置が変化する前記隆起部を変化させる形状変化手段とを備えていることを特徴とする。
【０００７】
請求項２に記載の発明は、請求項１記載のカメラにおいて、前記隆起部に前記カメラの操作部材が設けられていることを特徴とする。
【０００８】
請求項３に記載の発明は、請求項１又は２記載のカメラにおいて、前記カバー部材の摺動に応じて前記カメラ本体の電源をオン・オフさせることを特徴とする。
【発明の効果】
【０００９】
この発明によれば、撮影者がカバー部材の隆起部を握り易い形状に変更することができる。
【発明を実施するための最良の形態】
【００１０】
以下、この発明の実施の形態を図面に基づいて説明する。
【００１１】
図１（ａ）はこの発明の第１実施形態に係るカメラの使用状態を示す平面図、図１（ｂ）はその正面図、図２（ａ）はカメラの非使用状態を示す平面図、図２（ｂ）はその正面図である。
【００１２】
このカメラはカメラ本体１０とカバー部材２０とを備えている。
【００１３】
カメラ本体１０はほぼ直方体であり、前面の右上（カメラの正面に向かって右上）に鏡筒部３０に保持された撮影レンズ３１が設けられている。
【００１４】
撮影レンズ３１はカメラ本体１０内に収容され、カメラ本体１０の前面とはほぼ面一である。なお、シャッタボタン等の図示は省略されている。
【００１５】
カバー部材２０は手動式のカバー部材である。カバー部材２０はカメラ本体１０の前面に沿ってカメラ本体１０の長手方向へ摺動する。カバー部材２０の摺動方向は光軸Ｌと直交する。
【００１６】
カバー部材２０は蛇腹部２０ｃと蛇腹部２０ｃに連結された平板部２０ｂとを有する。蛇腹部２０ｃは複数の短冊形の板２０ａを横方向に連結してなる。カバー部材２０は合成樹脂で一体成形され、可撓性を有する。蛇腹部２０ｃの一端はカメラ本体１０前面に支持されている。カバー部材２０の中間部にはカメラ本体１０を操作させるための突起部（操作部材）２３が設けられている。カバー部材２０の長さはカメラ本体１０の前面全体を覆う長さである。なお、カバー部材２０全体を蛇腹形状としてもよい。
【００１７】
カメラの使用時（図１参照）、カバー部材２０をカメラ本体１０の前面の左側（カメラの正面に向かって左側）に摺動させ、カメラ本体１０の前面の左側に隆起部２５を形成する。この隆起部２５が撮影時のグリップ部として機能する。撮影者は指を隆起部２５にかけてカメラ本体１０を把持したまま突起部２３を操作することができる。カバー部材２０の摺動量を変えることによって隆起部２５の形状（高さ（光軸方向の寸法）、幅（光軸に直交する方向の寸法））を変えることができる。
【００１８】
カメラの非使用時（図２参照）、カバー部材２０はカメラ本体１０の前面全体を覆う。その結果、撮影レンズ３１に対するごみやよごれの付着を防止することができる。
【００１９】
図３（ａ）はカバー部材のカメラ本体への取付方法を説明するためのカメラ本体の正面図、図３（ｂ）はその平面図、図３（ｃ）はその側面図である。なお、図３ではカバー部材の平板部２０ｂだけが図示され、蛇腹部２０ｃの図示は省略されている。
【００２０】
カバー部材２０の平板部２０ｂの背面にはカバー部材２０の摺動方向へ延びるあり２１が形成されている。あり２１には鋼球２１ａが不図示のバネによりカメラ本体１０に向かって付勢されるように装着されている。
【００２１】
カメラ本体１０の前面には平板部２０ｂに形成されたあり２１と係合するあり溝１１がカメラ本体１０の長手方向へ延びるように形成されている。あり溝１１の底面１２には鋼球２１ａの直径より若干大きい直径の小穴１２ａ〜１２ｄがカバー部材２０の摺動方向に所定の間隔をおいて形成されている。カバー部材２０の平板部２０ｂを摺動させたとき、鋼球２１ａを小穴１２ａ〜１２ｄのいずれかに嵌合させることができるので、平板部２０ｂは小穴１２ａ〜１２ｄに対応する４つの位置に位置決めすることができる。その結果、カバー部材２０に形成される隆起部２５を所定の形状に変更できるとともに、その形状を一定に保たせることができる。あり２１、あり溝１１、鋼球２１ａ、小穴１２ａ〜１２ｄで形状変化手段が構成される。
【００２２】
また、あり溝１１の底面１２の右側端部（カメラの正面に向かって右側の端部）にはカバー部材２０の開閉によってカメラ本体１０の電源をオン・オフさせる押しボタン式のスイッチ４０が装着されている。なお、図３（ａ）はカバー部材２０が開き、カメラ本体１０の電源がオンになっている状態を示している。
【００２３】
この実施形態によれば、撮影者がカバー部材２０の隆起部２５を撮影者の手の大きさ、好み、撮影方法（例えば横位置（図１に示した位置）での撮影、縦位置（図１に示した位置から９０°回転させた位置）での撮影）等に応じて握り易い形状に容易に変更することができる。また、非使用時、カメラの前面には突出する部分がほとんどないので、デザイン的にすっきりするとともに、ポケット等に収納し易く、携帯性を向上させることができる。更に、カバー部材２０がカメラ本体１０の前面全体を覆うので、撮影レンズ３１にごみやよごれが付着するのを防止できる。
【００２４】
図４（ａ）はこの発明の第２実施形態に係るカメラの使用状態を示す平面図、図４（ｂ）はその正面図、図５（ａ）はカメラの非使用状態を示す平面図、図５（ｂ）はその正面図であり、第１実施形態と共通する部分には同一符号を付してその説明を省略する。
【００２５】
このカメラはカメラ本体１１０とカバー部材１２０とを備えている。
【００２６】
カメラ本体１１０はほぼ直方体であり、前面の左側（カメラの正面に向かって左側）に撮影レンズ３１を有する鏡筒部１３０が設けられている。
【００２７】
鏡筒部１３０の上部にはファインダ窓３５が設けられている。鏡筒部１３０はカバー部材１２０の摺動に連動してカメラ本体１１０の前面で出没する。
【００２８】
カバー部材１２０は手動式のカバー部材である。カバー部材１２０は例えばカメラ本体１１０に設けられたガイド溝（図示せず）に係合し、カメラ本体１１０の前面に沿って長手方向へ摺動する。カバー部材１２０の摺動方向は撮影レンズ３１の光軸と直交する。
【００２９】
カバー部材１２０は複数の短冊形の板が横方向に連結された蛇腹形状であり、合成樹脂で一体成形され、可撓性を有する。カバー部材１２０の中間部にはカメラ本体１１０を操作させるための突起部（操作部材）１２３が設けられている。カバー部材１２０の一部はカメラ本体１１０内に収容されている。カバー部材１２０はカバー部材１２０をカメラ本体１１０から引き出したとき、カメラ本体１１０の前面全体を覆うことができる長さを有する。なお、図示しないが、カメラ本体１１０内にカバー部材１２０を巻き取る軸部材を設けるとともに、カメラ本体１１０の上面から突出する軸部材の一端につまみを設け、つまみを回転させることによってカバー部材１２０の開閉を行うようにしてもよい。なお、図示しないが、カメラ本体１１０にはカバー部材１２０の摺動に応じてカメラ本体の電源をオン・オフさせるスイッチが設けられている。
【００３０】
カメラの使用時（図４参照）、カバー部材１２０の一端部はカメラ本体１１０内に収容され、他端部がカメラ本体１１０の前面に隆起する。この隆起部１２５がグリップ部として機能する。撮影者は指を隆起部１２５にかけてカメラ本体１１０を把持することができる。カバー部材１２０の引き出し量を変えることによって隆起部１２５の形状（高さ、幅）を変えることができる。図示しないが、例えば第１実施形態のように鋼球と小穴とで構成される形状変化手段を採用することでグリップ部の形状を一定に保たせることができる。なお、カメラ本体１１０内に収容されていた鏡筒部１３０はカバー部材１２０をカメラ本体１１０の右側部へ摺動させた際、前方へ突出する。
【００３１】
カメラの非使用時（図５参照）、カバー部材１２０の全部がカメラ本体１１０内から引き出され、カメラ本体１１０の前面全体がカバー部材１２０で覆われる。その結果、撮影レンズ３１に対するごみやよごれの付着を防止することができる。鏡筒部１３０はカバー部材１２０をカメラ本体１０の左側部へ摺動させた際、カメラ本体１１０に収容される。
【００３２】
この実施形態によれば第１実施形態と同様の効果を奏する。
【００３３】
なお、上記各実施形態ではカメラ本体１０の前面に隆起部２５，１２５を形成したが、カメラ本体１０の側面に隆起部を形成するようにしてもよい。
【図面の簡単な説明】
【００３４】
【図１】図１（ａ）はこの発明の第１実施形態に係るカメラの使用状態を示す平面図、図１（ｂ）はその正面図である。
【図２】図２（ａ）はカメラの非使用状態を示す平面図、図２（ｂ）はその正面図である。
【図３】図３（ａ）はカバー部材のカメラ本体への取付方法を説明するためのカメラ本体の正面図、図３（ｂ）はその平面図、図３（ｃ）はその側面図である。
【図４】図４（ａ）はこの発明の第２実施形態に係るカメラの使用状態を示す平面図、図４（ｂ）はその正面図である。
【図５】図５（ａ）はカメラの非使用状態を示す平面図、図５（ｂ）はその正面図である。
【符号の説明】
【００３５】
１０，１１０：カメラ本体、１１：あり溝、１２ａ〜１２ｄ：小穴、２０，１２０：カバー部材、２１：あり、２１ａ：鋼球、２３，１２３：突起部（操作部材）、２５，１２５：隆起部、３０，１３０：鏡筒部、４０：スイッチ、Ｌ：光軸。
【図１】
2009151156.tif 000003
【図２】
2009151156.tif 000004
【図３】
2009151156.tif 000005
【図４】
2009151156.tif 000006
【図５】
2009151156.tif 000007